(57)【特許請求の範囲】
【請求項１】
第１の測定レンジから第Ｎの測定レンジ（Ｎは、３以上の自然数）までの複数種類の測定レンジのうちの指定された当該測定レンジで測定対象体についての絶縁抵抗値を測定する測定部と、指定した前記測定レンジの対象測定値範囲内に含まれる前記絶縁抵抗値が測定されるまで前記第Ｎの測定レンジに向かって１段階低抵抗側の当該測定レンジを順に指定して当該絶縁抵抗値を測定させる測定処理を実行する制御部とを備えた絶縁抵抗計であって、
前記制御部は、第Ｍの測定レンジ（Ｍは、２以上Ｎ以下の自然数）が選択されたときに、前記測定処理時において当該第Ｍの測定レンジから前記第Ｎの測定レンジに向かって１段階低抵抗側の当該測定レンジを順に指定し、かつ、合否判定用基準値が設定されたときに、当該合否判定用基準値を前記対象測定値範囲内に含む前記測定レンジが前記第Ｍの測定レンジとして選択されたとして前記測定処理を実行すると共に、当該合否判定用基準値以上の前記絶縁抵抗値が前記測定部によって測定されたときに前記測定対象体が合格であると判定し、当該合否判定用基準値を下回る前記絶縁抵抗値が前記測定部によって測定されたときに前記測定対象体が不合格であると判定する絶縁抵抗計。
【請求項２】
第１の測定レンジから第Ｎの測定レンジ（Ｎは、３以上の自然数）までの複数種類の測定レンジのうちの指定された当該測定レンジで測定対象体についての絶縁抵抗値を測定する測定部と、指定した前記測定レンジの対象測定値範囲内に含まれる前記絶縁抵抗値が測定されるまで前記第Ｎの測定レンジに向かって１段階低抵抗側の当該測定レンジを順に指定して当該絶縁抵抗値を測定させる測定処理を実行する制御部とを備えた絶縁抵抗計であって、
前記制御部は、第Ｍの測定レンジ（Ｍは、２以上Ｎ以下の自然数）が選択されたときに、前記測定処理時において当該第Ｍの測定レンジから前記第Ｎの測定レンジに向かって１段階低抵抗側の当該測定レンジを順に指定し、かつ、報知処理用基準値が設定されたときに、当該報知処理用基準値のＬ倍（Ｌは、予め設定された１よりも大きい任意の数）の値を前記対象測定値範囲内に含む前記測定レンジと、前記報知処理用基準値を前記対象測定値範囲内に含む前記測定レンジよりもＫ段階（Ｋは、予め設定された任意の数）高抵抗側の前記測定レンジとのいずれか予め規定された一方が前記第Ｍの測定レンジとして選択されたとして前記測定処理を実行すると共に、当該報知処理用基準値を下回る前記絶縁抵抗値が前記測定部によって測定されたときに報知処理を実行する絶縁抵抗計。
【発明の詳細な説明】
【技術分野】
【０００１】
本発明は、複数種類の測定レンジのうちのいずれかで測定対象体についての絶縁抵抗値を測定可能に構成された絶縁抵抗計に関するものである。
【背景技術】
【０００２】
例えば、特開平８−５６７１号公報には、電圧の測定処理を実行可能に構成されたディジタル電圧計（以下、「電圧計」ともいう）、およびデータバスを介して電圧計に接続されたパーソナルコンピュータ（以下、「パソコン」ともいう）を備えたシステム（以下、「測定システム」ともいう）が開示されている。この測定システムでは、電圧計がパソコンの制御に従って測定レンジを切り替えて電圧の測定処理を実行する構成が採用されている。具体的には、この測定システムでは、電圧計が、「１０Ｖレンジ」、「３Ｖレンジ」、「１Ｖレンジ」、「０．３Ｖレンジ」、「０．１Ｖレンジ」、「３０ｍＶレンジ」、「１０ｍＶレンジ」、「３ｍＶレンジ」および「１ｍＶレンジ」の９種類の測定レンジのうのいずれかで電圧を測定可能に構成されている。
【０００３】
また、測定処理に際しては、まず、電圧計がパソコンの制御に従って「１０Ｖレンジ」で測定処理を開始する。この際に、測定電圧が測定レンジに対する基準電圧範囲を外れているときには、パソコンに対してレンジ変更要求信号（以下、「要求信号」ともいう）を送信して、これに応じて送信されるレンジ設定指令信号（以下、「指令信号」ともいう）に従って測定レンジを「３Ｖレンジ」に変更して再び電圧の測定処理を実行する。また、「３Ｖレンジ」での測定電圧が基準電圧範囲内のときには、パソコンに対してレンジ設定完了信号（以下、「完了信号」ともいう）を送信すると共に、測定電圧が測定レンジに対する基準電圧範囲を外れているときには、パソコンに対して要求信号を再び送信して指令信号に従って測定レンジを「１Ｖレンジ」に変更して再び電圧の測定処理を実行する。このように、この電圧計では、測定電圧に応じて測定レンジが順次切り替えられて電圧の測定処理が実行されるため、煩雑な測定レンジ切替え作業が不要となっている。
【０００４】
また、この測定システムでは、電圧計から完了信号が送信されたとき（測定電圧が基準電圧範囲内のとき）に、パソコンがその時点において電圧計に設定されている測定レンジ（指令信号によって指定した測定レンジ）を記憶しておき、次回の測定処理時には、記憶している測定レンジを最初に設定する測定レンジとして指定する構成が採用されている。これにより、例えば「１０ｍＶレンジ」との測定レンジで測定した電圧が基準電圧範囲内のときには、次回の測定処理時において、電圧計がパソコンの制御に従って「１０ｍＶレンジ」で測定処理を開始して、測定電圧が測定レンジに対する基準電圧範囲を外れているときには、「１０Ｖレンジ」、「３Ｖレンジ」・・の順で測定レンジを順次切り替えて電圧の測定処理を実行する。したがって、例えば生産ラインにおける測定処理時のように、被測定電圧に大きな変動が生じることのない環境下（被測定電圧がほぼ一定の環境下）においては、２回目以降の測定処理時において測定レンジの切り替えが不要となる分だけ、電圧の測定処理に要する時間を短縮することが可能となっている。
【０００５】
さらに、この測定システムでは、電圧計から要求信号が送信されたとき（測定電圧が基準電圧範囲を外れているとき）に、パソコンがその時点において電圧計に設定されている測定レンジよりも切替え優先順位が低い各測定レンジのうちの中間の測定レンジを指定する指令信号を送信する動作モードを選択可能に構成されている。具体的には、「１０Ｖレンジ」における電圧測定の後に電圧計から要求信号が送信されたときに、パソコンは、「１０Ｖレンジ」よりも切替え優先順位が低い「３Ｖレンジ」〜「１ｍＶレンジ」のうちの中間の測定レンジ（この例では、「０．１Ｖレンジ」）を指定する指令信号を送信する。また、「０．１Ｖレンジ」における電圧測定の後に要求信号が送信されたときには、「０．１Ｖレンジ」よりも切替え優先順位が低い「３０ｍＶレンジ」〜「１ｍＶレンジ」のうちの中間の測定レンジ（この例では、「１０ｍＶレンジ」）を指定する指令信号を送信する。これにより、被測定電圧が「１０ｍＶレンジ」において基準電圧範囲内となる上記の例では、３回の電圧測定および２回のレンジ切替えによって測定処理を完了することが可能となり、「１０Ｖレンジ」から順に切り替えて電圧を測定する構成と比較して、測定処理に要する時間を短縮することが可能となっている。
【特許文献１】特開平８−５６７１号公報（第３−４頁、第１−８図）
【発明の開示】
【発明が解決しようとする課題】
【０００６】
ところが、従来の測定システムには、以下の問題点がある。すなわち、従来の測定システムでは、前回の測定処理時に基準電圧範囲内の電圧が測定された際の測定レンジで測定処理を開始する動作モード（以下、「第１の動作モード」ともいう）と、測定電圧が基準電圧範囲を外れているときに、その時点において設定されている測定レンジよりも切替え優先順位が低い各測定レンジのうちの中間の測定レンジに切り替えて電圧を測定する動作モード（以下、「第２の動作モード」ともいう）とのいずれかで動作することによって測定処理に要する時間を短縮する構成が採用されている。しかしながら、従来の測定システムでは、第１の動作モードおよび第２の動作モードのいずれで測定処理を実行したとしても、「１０Ｖレンジ」から順に切り替えて電圧を測定する場合よりも、測定レンジの切り替え回数が多くなることがある。
【０００７】
具体的には、例えば、前回の測定処理時に「１０ｍＶレンジ」が最優先の測定レンジとして記憶された状態において、前回の測定処理時とは測定対象体が相違するなどして、被測定電圧が「１Ｖレンジ」で基準電圧範囲内となるように変化したときには、「１０Ｖレンジ」から順に切り替えて電圧を測定する構成では、「３Ｖレンジ」への切り替え、および「１Ｖレンジ」への切り替えの２回のレンジ切替えによって一連の測定処理を完了するのに対して、第１の動作モードで動作しているときには、一連の測定処理を完了するまでに、「１０Ｖレンジ」への切り替え、「３Ｖレンジ」への切り替え、および「１Ｖレンジ」への切り替えの３回のレンジ切替えを要することとなる。また、従来の測定システムでは、例えば、正常状態において被測定電圧が「１０ｍＶレンジ」で基準電圧範囲内となる測定対象体に何らかの異常が生じて、被測定電圧が「３ｍＶレンジ」で基準電圧範囲内となったときには、この「３ｍＶレンジ」が次回の測定処理時における最優先の測定レンジとして記憶される。したがって、測定対象体が正常状態に復帰したときには、「１０ｍＶレンジ」との測定レンジに切り替えられるまでに複数回のレンジ切替え処理を実行する必要が生じることとなる。
【０００８】
同様にして、被測定電圧が「１Ｖレンジ」で基準電圧範囲内となる場合において、「１０Ｖレンジ」から順に切り替えて電圧を測定するときには、上記のように２回のレンジ切替えによって一連の測定処理を完了するのに対して、第２の動作モードで動作しているときには、一連の測定処理を完了するまでに、「０．１Ｖレンジ」への切り替え、「０．３Ｖレンジ」への切り替え、および「１Ｖレンジ」への切り替えの３回のレンジ切替えを要することとなる。このように、従来の測定システムでは、レンジ切り替えの回数を減らして一連の測定処理に要する時間を短縮しようとしているにも拘わらず、被測定電圧によっては、「１０Ｖレンジ」から順に切り替えて電圧を測定する場合よりも、測定処理に要する時間が長くなることがあるという問題点が存在する。
【０００９】
本発明は、かかる解決すべき課題に鑑みてなされたものであり、測定処理に要する時間を十分に短縮し得る絶縁抵抗計を提供することを主目的とする。
【課題を解決するための手段】
【００１０】
上記目的を達成すべく請求項１記載の絶縁抵抗計は、第１の測定レンジから第Ｎの測定レンジ（Ｎは、３以上の自然数）までの複数種類の測定レンジのうちの指定された当該測定レンジで測定対象体についての絶縁抵抗値を測定する測定部と、指定した前記測定レンジの対象測定値範囲内に含まれる前記絶縁抵抗値が測定されるまで前記第Ｎの測定レンジに向かって１段階低抵抗側の当該測定レンジを順に指定して当該絶縁抵抗値を測定させる測定処理を実行する制御部とを備えた絶縁抵抗計であって、前記制御部は、第Ｍの測定レンジ（Ｍは、２以上Ｎ以下の自然数）が選択されたときに、前記測定処理時において当該第Ｍの測定レンジから前記第Ｎの測定レンジに向かって１段階低抵抗側の当該測定レンジを順に指定し、かつ、合否判定用基準値が設定されたときに、当該合否判定用基準値を前記対象測定値範囲内に含む前記測定レンジが前記第Ｍの測定レンジとして選択されたとして前記測定処理を実行すると共に、当該合否判定用基準値以上の前記絶縁抵抗値が前記測定部によって測定されたときに前記測定対象体が合格であると判定し、当該合否判定用基準値を下回る前記絶縁抵抗値が前記測定部によって測定されたときに前記測定対象体が不合格であると判定する。
【００１１】
また、請求項２記載の絶縁抵抗計は、第１の測定レンジから第Ｎの測定レンジ（Ｎは、３以上の自然数）までの複数種類の測定レンジのうちの指定された当該測定レンジで測定対象体についての絶縁抵抗値を測定する測定部と、指定した前記測定レンジの対象測定値範囲内に含まれる前記絶縁抵抗値が測定されるまで前記第Ｎの測定レンジに向かって１段階低抵抗側の当該測定レンジを順に指定して当該絶縁抵抗値を測定させる測定処理を実行する制御部とを備えた絶縁抵抗計であって、前記制御部は、第Ｍの測定レンジ（Ｍは、２以上Ｎ以下の自然数）が選択されたときに、前記測定処理時において当該第Ｍの測定レンジから前記第Ｎの測定レンジに向かって１段階低抵抗側の当該測定レンジを順に指定し、かつ、報知処理用基準値が設定されたときに、当該報知処理用基準値のＬ倍（Ｌは、予め設定された１よりも大きい任意の数）の値を前記対象測定値範囲内に含む前記測定レンジと、前記報知処理用基準値を前記対象測定値範囲内に含む前記測定レンジよりもＫ段階（Ｋは、予め設定された任意の数）高抵抗側の前記測定レンジとのいずれか予め規定された一方が前記第Ｍの測定レンジとして選択されたとして前記測定処理を実行すると共に、当該報知処理用基準値を下回る前記絶縁抵抗値が前記測定部によって測定されたときに報知処理を実行する。
【発明の効果】
【００１２】
請求項１，２記載の絶縁抵抗計によれば、第Ｍの測定レンジが選択されたときに、測定処理時に第１の測定レンジから第（Ｍ−１）の測定レンジに切り替えさせることなく、第Ｍの測定レンジから第Ｎの測定レンジに向かって１段階低抵抗側の測定レンジに順に切り替えさせて絶縁抵抗値を測定させることにより、使用形態に応じて、最初に切り替えられる測定レンジを使用者が希望する任意の測定レンジに選択することができるため、測定レンジの切り替え回数を必要最低限の十分に少ない回数とすることができる。したがって、この絶縁抵抗計によれば、絶縁抵抗値の測定に要する時間を十分に短縮することができる。
【００１３】
また、請求項１記載の絶縁抵抗計では、合否判定用基準値が設定されたときに、合否判定用基準値を対象測定値範囲内に含む測定レンジが第Ｍの測定レンジとして選択されたとして測定処理を実行する。また、請求項２記載の絶縁抵抗計では、報知処理用基準値が設定されたときに報知処理用基準値のＬ倍の値を対象測定値範囲内に含む測定レンジと、報知処理用基準値を対象測定値範囲内に含む測定レンジよりもＫ段階高抵抗側の測定レンジとのいずれか予め規定された一方が第Ｍの測定レンジとして選択されたとして測定処理を実行する。したがって、請求項１，２記載の絶縁抵抗計によれば、測定レンジの切り替え回数を必要最低限の十分に少ない回数とすることができるだけでなく、合否判定用基準値または報知処理用基準値を設定するだけで、最初に切り替えられる測定レンジが自動的に選択されるため、この種の装置の操作に不慣れな使用者であっても、測定処理に先立って実施する条件設定作業を迅速かつ容易に実施することができる。
【発明を実施するための最良の形態】
【００１４】
以下、本発明に係る絶縁抵抗計の最良の形態について、添付図面を参照して説明する。
【００１５】
最初に、絶縁抵抗計１の構成について、図面を参照して説明する。
【００１６】
図１に示す絶縁抵抗計１は、本発明に係る絶縁抵抗計の一例であるデジタル式の絶縁抵抗計であって、測定部２、操作部３、表示部４、制御部５および記憶部６を備えて、測定対象体Ｘについての絶縁抵抗値を測定可能に構成されている。測定部２は、後述するようにして制御部５から出力される制御信号Ｓ２に従って測定レンジを切り替えるレンジ切替部と、測定対象体Ｘに対して測定電圧を印加する電圧印加部と、測定電圧を印加した状態における電流値を測定する電流測定部と、印加した測定電圧の電圧値および測定した電流値に基づいて絶縁抵抗値を演算する演算部とを備え（共に図示せず）、その演算結果（絶縁抵抗値）を測定結果データＤ２として出力する。この場合、図２に示すように、この絶縁抵抗計１は、例えば、「５ＴΩ」との測定レンジＲ１から、「１０ＭΩ」との測定レンジＲ７までの７種類の測定レンジ（本発明にける「Ｎ」が「７」の例：以下、区別しないときには「測定レンジＲ」ともいう）のいずれかで絶縁抵抗の測定を実行可能に構成されている。
【００１７】
操作部３は、絶縁抵抗計１の動作条件を設定するためのスイッチや、測定開始／測定終了を指示するためのスイッチなどの各種操作スイッチを備え、これらのスイッチ操作に応じた操作信号Ｓ１を出力する。表示部４は、例えばＬＣＤ（Liquid Crystal Display）で構成されて、制御部５の制御に従って測定結果等を表示する。制御部５は、絶縁抵抗計１を総括的に制御する。具体的には、制御部５は、測定部２に制御信号Ｓ２を出力して（測定部２を制御して）上記の測定レンジＲ１〜Ｒ７のうちのいずれかの測定レンジＲを指定して切り替えさせて測定対象体Ｘについての絶縁抵抗値を測定させる測定処理１０（図３参照）を実行する。この場合、制御部５は、測定処理１０において、測定レンジＲの対象測定値範囲（以下、「測定値範囲」ともいう）内の測定値で絶縁抵抗値が測定されるまで、最初に切り替えさせるべき測定レンジＲ（本発明における第Ｍの測定レンジ）から測定レンジＲ７（本発明における第Ｎの測定レンジ）に向かって測定レンジを順に指定して切り替えさせて絶縁抵抗値を測定させる。また、制御部５は、後述するように、操作部３のスイッチ操作によって測定条件が選択された（入力操作された）ときに、選択された測定条件に応じて測定条件データＤ１を生成して記憶部６に記憶させる。記憶部６は、制御部５の動作プログラムや、上記の測定条件データＤ１などを記憶する。
【００１８】
次に、絶縁抵抗計１を用いて測定対象体Ｘについての絶縁抵抗値を測定する方法について、図面を参照して説明する。
【００１９】
この絶縁抵抗計１による絶縁抵抗値の測定に際しては、まず、本発明における第Ｍの測定レンジと本発明における報知処理用基準値とを設定する（選択する）作業を実施する。この場合、この種の絶縁抵抗計では、測定される抵抗値が予め規定された抵抗値以上のときに測定対象体Ｘが合格であると判定し、測定される抵抗値が規定された抵抗値を下回るときに測定対象体Ｘが不合格であると判定するといった使用形態での使用が一般的となっている。また、合否判定の判定基準（測定対象体Ｘに対して定められた規格や、測定対象体Ｘの製造者が定めた基準など：上記の「規定された抵抗値」）は、一般的には、測定処理の開始に先立って規定されている。したがって、操作部３の各操作スイッチを操作することにより、一例として、「１００ＭΩ」との判定基準を設定する（１００ＭΩ以上の抵抗値が測定されたときに測定対象体Ｘを合格とし、１００ＭΩを下回る抵抗値が測定されたときに測定対象体Ｘを不合格とするように設定する）。
【００２０】
なお、この絶縁抵抗計１では、後述するようにして、合否判定の基準値が選択されたときに、選択された基準値を測定値範囲内に含む測定レンジＲが、最初に切り替えられる測定レンジＲとして選択されたとして、絶縁抵抗値の測定処理が実行される。したがって、この絶縁抵抗計１では、上記の例における「１００ＭΩとの基準値が選択されたとき」が、本発明における「第Ｍの測定レンジが選択されたとき」に相当する。次いで、コンパレータ機能によって警告表示やブザー音の出力（本発明における報知処理の一例）を実行させるための警告値（報知処理用基準値）を設定する。具体的には、操作部３の各操作スイッチを操作することにより、一例として、「１０ＭΩ」との警告値（その値を下回る抵抗値が測定されたときに警告表示およびブザー音の出力を実行させるための基準値）を設定する。これに応じて、制御部５は、操作部３からの操作信号Ｓ１に基づいて「１００ＭΩ」との基準値と、「１０ＭΩ」との警告値が選択された（設定された）として、測定条件データＤ１を生成して記憶部６に記憶させる。これにより、測定処理の開始準備が完了する。
【００２１】
この状態において、操作部３の測定開始スイッチが操作されたときに、制御部５は、図３に示す測定処理１０を開始する。この測定処理１０では、制御部５は、まず、合否判定の基準値が設定されているか否か（選択された基準値を特定可能な測定条件データＤ１が記憶部６に記憶されているか否か）を判別する（ステップ１１）。この際に、制御部５は、基準値が設定されている（記憶部６に測定条件データＤ１が記憶されている）と判別して、その基準値（この例では、「１００ＭΩ」）が測定レンジＲ１〜Ｒ７のいずれの測定値範囲内に含まれるかを特定し、特定した測定レンジＲに切り替える旨を指示する（特定した測定レンジＲを指定する）制御信号Ｓ２を測定部２に出力する（測定レンジＲの指定：ステップ１２）。この際には、９０ＭΩ〜９９９ＭΩとの測定値範囲を有する測定レンジＲ５が「設定された基準値を測定値範囲内に含む測定レンジＲ」として特定されて、測定レンジＲ５に切り替える旨の制御信号Ｓ２が制御部５から測定部２に出力される。これに応じて、測定部２（レンジ切替部）は、測定レンジＲ１〜Ｒ４に切り替えることなく、測定レンジを測定レンジＲ５に直接切り替える。
【００２２】
次いで、制御部５は、絶縁抵抗値の測定開始を指示する制御信号Ｓ２を測定部２に出力する（ステップ１３）。これに応じて、測定部２は、測定レンジＲ５に切り替えた状態において、測定対象体Ｘに対して測定電圧を印加しつつ電流値を測定して、印加した測定電圧の電圧値と測定した電流値とに基づいて絶縁抵抗値を演算する。また、測定部２は、演算結果に基づいて測定結果データＤ２を生成して制御部５に出力する。なお、測定部２は、操作部３の測定終了スイッチが操作されて制御部５から絶縁抵抗値の測定終了を指示する制御信号Ｓ２が出力されるまで、絶縁抵抗値の測定と、測定結果データＤ２の生成および出力とを繰り返して実行する。
【００２３】
一方、制御部５は、測定部２から出力された測定結果データＤ２と、記憶部６に記憶されている測定条件データＤ１とに基づき、測定部２による測定値が、指定した測定レンジＲ（切り替えた測定レンジＲ）の測定値範囲の上限値（この例では、測定レンジＲ５の測定値範囲の上限値である９９９ＭΩ）よりも高いか否かを判別する（ステップ１４）。この際に、測定部２による測定値が指定した測定レンジＲの測定値範囲の上限値よりも高い値のときには、制御部５は、表示部４を制御して、測定値が基準値よりも高抵抗であるとのメッセージ（一例として、「＞１００ＭΩ」との文字列）を表示させ（ステップ１５）、この測定処理１０を終了する。これにより、表示部４に表示されたメッセージに基づき、測定対象体Ｘの絶縁抵抗値が基準値以上で、その測定対象体Ｘが合格であると判定することができる。
【００２４】
この場合、前述したように、この種の絶縁抵抗計を使用した測定処理時においては、基準値以上の抵抗値が測定されたときに、測定値の大小を問わず、その測定対象体Ｘを合格判定としている。このため、基準値以上の抵抗値が測定されたときには、測定値が基準値以上であるのを認識することができれば十分であって、正確な測定値の表示は不要となっている。したがって、設定された基準値を測定値範囲内に含む測定レンジＲの上限値よりも高い測定値が測定されたときに上記のメッセージを表示させるこの絶縁抵抗計１では、例えば、基準値以上の抵抗値が測定されたときであっても測定値のふらつきが収まって正確な測定値が測定されるまで所定時間待機してから測定値を表示させる構成の絶縁抵抗計と比較して、測定対象体Ｘの合否判定に必要な情報を短時間で表示させることが可能となっている。これにより、この絶縁抵抗計１では、一連の測定処理に要する時間が十分に短くなっている。
【００２５】
一方、測定部２による測定値が、指定した測定レンジＲ（切り替えた測定レンジＲ）の測定値範囲の上限値よりも低いときには、制御部５は、その測定値が、指定した測定レンジＲの測定値範囲の下限値（この例では、測定レンジＲ５の測定値範囲の下限値である９０ＭΩ）よりも低いか否かを判別する（ステップ１６）。この際に、測定部２による測定値が指定した測定レンジＲの測定値範囲の下限値よりも低い値のときには、制御部５は、その時点において切り替えられている測定レンジＲ（この例では、測定レンジＲ５）よりも測定値範囲が１段階低抵抗側の測定レンジＲ（この例では、測定値範囲が９．０ＭΩ〜９９．９ＭΩの測定レンジＲ６）を指定して切り替えさせる制御信号Ｓ２を測定部２に出力する（ステップ１７）。次いで、制御部５は、絶縁抵抗値の測定開始を指示する制御信号Ｓ２を測定部２に出力する（ステップ１３）。
【００２６】
これに応じて、測定部２は、測定レンジＲ５から測定レンジＲ６に切り替えた後に、切り替え後の測定レンジＲ６で測定対象体Ｘの絶縁抵抗値を測定して測定結果データＤ２を制御部５に出力する。一方、制御部５は、測定部２から出力された測定結果データＤ２と、記憶部６に記憶されている測定条件データＤ１とに基づき、一例として、測定値が指定した測定レンジＲの測定値範囲の上限値（この例では、測定レンジＲ６の測定値範囲の上限値である９９．９ＭΩ）よりも低いと判別すると共に（ステップ１４）、測定値が指定した測定レンジＲの測定値範囲の下限値（この例では、測定レンジＲ６の測定値範囲の下限値である９．０ＭΩ）よりも高いと判別する（ステップ１６）。次いで、制御部５は、測定値が指定された基準値（この例では、１００ＭΩ）よりも低いと判別し（ステップ１８）、表示部４を制御して、測定結果データＤ２に基づく測定値（例えば、「８８ＭΩ」との文字列）を表示させる（ステップ１９）。続いて、制御部５は、測定値（この例では、８８ＭΩ）が警告値（この例では、１０ＭΩ）よりも高いと判別し（ステップ２０）、この測定処理１０を終了する。これにより、表示部４に表示された測定値に基づき、測定対象体Ｘの絶縁抵抗値が基準値を下回っており、その測定対象体Ｘが不合格であると判定することができる。
【００２７】
なお、上記の例では、測定値が警告値よりも高い８８ＭΩであったが、例えば、測定値が警告値よりも低い９．５ＭΩのときには（ステップ２０）、制御部５は、表示部４を制御して、「９．５ＭΩ」との測定値の表示に加えて「ＮＧ」との文字列（警告表示）を表示させると共に、図示しないスピーカからブザー音（警告音）を出力させる（ステップ２１）。これにより、表示部４に表示された測定値および警告表示や、ブザー音の出力に基づき、測定対象体Ｘの絶縁抵抗値が判定用の基準値および警告値を下回っており、その測定対象体Ｘが不合格であると判定することができる。
【００２８】
また、制御部５は、測定レンジＲ５に切り替えられている状態において、測定部２による測定値が、その測定レンジＲの測定値範囲の上限値よりも低く（ステップ１４）、かつ、その測定レンジＲの測定値範囲の下限値よりも高いと判別したときには（ステップ１６）、前述したように、その測定値が、指定された基準値（この例では、１００ＭΩ）よりも高いか否かを判別する（ステップ１８）。この際に、測定値が、指定された基準値よりも高いとき（一例として、測定値が２００ＭΩのとき）には、制御部５は、表示部４を制御して、測定値が基準値よりも高抵抗であるとのメッセージ（この例では、「＞１００ＭΩ」との文字列）を表示させ（ステップ１５）、この測定処理１０を終了する。これにより、表示部４に表示されたメッセージに基づき、測定対象体Ｘの絶縁抵抗値が基準値以上で、その測定対象体Ｘが合格であると判定することができる。
【００２９】
一方、測定値が、指定された基準値よりも低いとき（一例として、測定値が９５ＭΩのとき）には（ステップ１８）、制御部５は、表示部４を制御して、測定結果データＤ２に基づく測定値（この例では、「９５ＭΩ」との文字列）を表示させる（ステップ１９）。次いで、制御部５は、測定値が警告値よりも高いと判別し（ステップ２０）、この測定処理１０を終了する。これにより、表示部４に表示された測定値に基づき、測定対象体Ｘの絶縁抵抗値が基準値を下回っており、その測定対象体Ｘが不合格であると判定することができる。
【００３０】
なお、合否判定の基準値が指定されている状態（測定条件データＤ１が記憶部６に記憶されている状態）において測定処理１０を開始する例について上記したが、この絶縁抵抗計１では、基準値が指定されていないときには、従来の一般的な絶縁抵抗計と同様にして、測定値範囲が最も高抵抗の測定レンジＲから順にレンジ切り替えが行われて絶縁抵抗値が測定される。具体的には、測定処理１０の開始に先立って前述した合否判定の基準値が設定されていないときには（ステップ１１）、制御部５は、測定値範囲が最も高抵抗の測定レンジＲ（この例では、測定値範囲が０．９０Ｔ〜５．００ＴΩの測定レンジＲ１）を指定して切り替えさせる制御信号Ｓ２を測定部２に出力した後に（ステップ２２）、絶縁抵抗値の測定開始を指示する制御信号Ｓ２を測定部２に出力する（ステップ１３）。この後、前述したように、ステップ１４〜１８の一連の処理が実行されて、例えば、測定対象体Ｘについての絶縁抵抗値が表示部４に表示される（ステップ１９）。
【００３１】
このように、この絶縁抵抗計１によれば、本発明における第Ｍの測定レンジが選択されたとき（この例では、測定レンジＲ５の測定値範囲である９０ＭΩ〜９９９ＭΩに含まれる１００ＭΩとの基準値が指定されて測定レンジＲ５が選択されたとき）に、制御部５が、測定処理時において本発明における第１の測定レンジから第（Ｍ−１）の測定レンジ（この例では、測定レンジＲ１〜Ｒ４）に切り替えさせることなく、測定レンジＲ５から本発明における第Ｎの測定レンジ（この例では、測定レンジＲ７）に向かって測定レンジＲを順に切り替えさせて絶縁抵抗値を測定させることにより、使用形態に応じて、最初に切り替えられる測定レンジＲを使用者が希望する任意の測定レンジに選択することができるため、測定レンジＲの切り替え回数を必要最低限の十分に少ない回数とすることができる。したがって、この絶縁抵抗計１によれば、絶縁抵抗値の測定に要する時間を十分に短縮することができる。
【００３２】
なお、本発明は、上記の構成に限定されない。例えば、合否判定の基準値が指定された（入力操作された）ときに、その基準値を測定値範囲内に含む測定レンジＲが本発明における第Ｍの測定レンジとして選択されたとして絶縁抵抗値を測定する構成の絶縁抵抗計１を例に挙げて説明したが、例えば、測定レンジＲ１〜Ｒ７のいずれかを直接的に使用者に選択させる構成を採用することができる。このような構成においても、上記の絶縁抵抗計１と同様にして、使用形態に応じて、最初に切り替えられる測定レンジＲを使用者が希望する任意の測定レンジに選択することができるため、測定レンジＲの切り替え回数を必要最低限の十分に少ない回数とすることができる。したがって、この構成を採用した絶縁抵抗計によれば、絶縁抵抗値の測定に要する時間を十分に短縮することができる。
【００３３】
また、上記の絶縁抵抗計１では、合否判定用の基準値を測定値範囲内に含む測定レンジＲが本発明における第Ｍの測定レンジとして選択されたとして一連の測定処理を実行する構成を採用しているが、本発明はこれに限定されない。具体的には、一例として、上記の絶縁抵抗計１において、警告値（コンパレータ機能用の基準値）が設定されたときに、この警告値に対して予め規定された条件を満たす測定レンジＲ（一例として、警告値の１０倍の値を測定値範囲内に含む測定レンジＲ：「Ｌ倍＝１０倍」の例）が本発明における第Ｍの測定レンジとして選択されたとして、一連の測定処理を実行する構成を採用することができる。なお、コンパレータ機能については、上記の絶縁抵抗計１と同様であるため、その説明を省略する。このような構成の絶縁抵抗計では、上記の「警告値」が本発明における報知処理用基準値に相当し、「警告表示やブザー音の出力」が本発明における報知処理に相当する。
【００３４】
この場合、「第Ｍの測定レンジとして選択されたとする測定レンジ」は、上記の例示のような「報知処理用基準値（警告値）の１０倍の値を測定値範囲内に含む測定レンジ」に限定されず、例えば、「報知処理用基準値（警告値）を測定値範囲内に含む測定レンジＲよりも１段階高抵抗側の測定レンジＲ（「Ｋ段階＝１段階」の例）」などがこれに含まれる。また、上記の例示における「１０倍（Ｌ倍）の値」や「１段階（Ｋ段階）高抵抗側」などの詳細な条件については、使用者が任意に設定できるように構成することができる。
【００３５】
このような構成の絶縁抵抗計によれば、本発明における報知処理用基準値（この例では、コンパレータ機能用の警告値）が設定されたときに報知処理用基準値のＬ倍の値を測定値範囲内に含む測定レンジＲ（この例では、警告値の１０倍の値を測定値範囲内に含む測定レンジＲ）、または、報知処理用基準値（警告値）を測定値範囲内に含む測定レンジＲよりもＫ段階高抵抗側の測定レンジＲ（この例では、警告値を測定値範囲内に含む測定レンジＲよりも１段階高抵抗側の測定レンジＲ）が本発明における第Ｍの測定レンジとして選択されたとして測定処理を実行することにより、前述した絶縁抵抗計１と同様にして測定レンジＲの切り替え回数を必要最低限の十分に少ない回数とすることができるだけでなく、警告値（報知処理用基準値）を設定するだけで、最初に切り替えられる測定レンジＲが自動的に選択されるため、この種の装置の操作に不慣れな使用者であっても、測定処理に先立って実施する条件設定作業を迅速かつ容易に実施することができる。
【００３６】
さらに、測定値が基準値よりも高いときに、測定値を表示することなく、メッセージを表示する構成の絶縁抵抗計１を例に挙げて説明したが、本発明における絶縁抵抗計の構成はこれに限定されず、測定値が基準値よりも高いときであっても、必要に応じて測定レンジＲを高抵抗側の測定レンジＲに切り替えて、正確な測定値を表示する構成を採用することもできる。
【図面の簡単な説明】
【００３７】
【図１】絶縁抵抗計１の構成を示すブロック図である。
【図２】絶縁抵抗計１における測定部２の測定レンジＲ１〜Ｒ７の一例について説明するための説明図である。
【図３】絶縁抵抗計１における制御部５によって実行される測定処理１０のフローチャートである。
【符号の説明】
【００３８】
１  絶縁抵抗計
２  測定部
５  制御部
１０  測定処理
Ｄ１  測定条件データ
Ｓ２  制御信号
Ｒ１〜Ｒ７  測定レンジ
Ｘ  測定対象体
【図１】
0005203724.tif 000002
【図２】
0005203724.tif 000003
【図３】
0005203724.tif 000004